(57)【要約】【課題】  紙製ヤーンチューブにおいて、紙テープの突合せ部分からの油剤の染み込みの防止を確実化するとともに、コーティング剤の塗布量を減らして製品の価格を抑え、さらに糸条の解除機能を向上させる。【解決手段】  紙製ヤーンチューブ１は、紙テープ２Ａ，２Ｂ，２Ｃを螺旋状に巻回積層して形成された紙管を基部として糸条を巻き取る。糸条に含まれる液剤を通さない所定のコーティング剤が最外周の層を構成する紙テープ２Ａに適用されている。最外周よりも１層内側の層について、紙製ヤーンチューブ１の軸方向において互いに隣接する紙テープ２Ａ１，２Ａ２の側縁部間を所定幅離して螺旋状の隙間を形成する。最外周の層において、軸方向で互いに隣接する紙テープ２Ａの側縁部の一方を内周側に折り曲げて互いに隣接する紙テープの側縁部を重ね合わせるとともに、重ね合わされた部分を所定幅７内に収めるように形成する。【選択図】            図１
2005225619.tif 000002
【特許請求の範囲】
【請求項１】
紙テープを螺旋状に巻回積層して形成された紙管を基部として糸条を巻き取る紙製ヤーンチューブにおいて、
前記糸条に含まれる液剤を通さない所定のコーティング剤が最外周の層を構成する紙テープに適用され、
最外周よりも１層内側の層について、紙製ヤーンチューブの軸方向において互いに隣接する紙テープの側縁部間を所定幅離して螺旋状の隙間を形成し、
前記最外周の層において、前記軸方向で互いに隣接する紙テープの側縁部の一方を内周側に折り曲げて互いに隣接する紙テープの側縁部を重ね合わせるとともに、重ね合わされた部分を前記螺旋状の隙間内に納めるように形成することを特徴とする紙製ヤーンチューブ。
【請求項２】
前記コーティング剤は、撥油性を有することを特徴とする、請求項１記載の紙製ヤーンチューブ。
【請求項３】
前記コーティング剤は、撥水性を有することを特徴とする、請求項１または請求項２記載の紙製ヤーンチューブ。
【請求項４】
前記コーティング剤は、薬品をはじくことを特徴とする、請求項１から請求項３のいずれか一項に記載の紙製ヤーンチューブ。
【請求項５】
前記所定のコーティング剤により付与される耐性に適合する液剤を含む糸条が、請求項１から請求項４のいずれかに記載の紙製ヤーンチューブに巻きつけられてなる巻回体。
【発明の詳細な説明】
【技術分野】
【０００１】
この発明は、合成糸などの糸条を巻き取るための紙製ヤーンチューブ及び、紙製ヤーンチューブに糸条が巻き取られてなる巻回体に関する。
【背景技術】
【０００２】
従来から、糸条を巻き取るための紙製ヤーンチューブとしては、図２に示すように、紙テープ２を螺旋状に巻き付けて円筒状に加工された紙管などが使用されている（特許文献１参照）。図２において、符号３で示した線は、紙製ヤーンチューブ１の紙テープ２の突合せ部分である。図２に示す紙製ヤーンチューブ１は、糸条の端部を把持するための溝４を備えている。
紙製ヤーンチューブに巻き取られる糸条の中には、単糸条のものを集めて太い糸に撚る際に糸の収束性を高めたり、機械内で糸条が送られるときの摩擦で切れないようにするために、水や油剤などの液剤が添加されたものがある。そして、紙製ヤーンチューブの外周表面に例えば油剤の染み込みを防止するためにフッ素系樹脂を塗布するなど、糸条に液剤が塗布されている場合にその液剤の染み込み防止機能を向上させることが行われている（特許文献２参照）。
図３は、最外周の層を構成する紙テープ２Ａと、最外周よりも１層内側の層を構成する紙テープ２Ｂとの関係を示す部分断面拡大図である。図３の断面は、紙製ヤーンチューブの長手方向に沿って切断した場合の最外層及び最外層よりも１層内側の層を示している。従って、最外層から２層以上内側の紙テープは図示省略されている。紙テープ２Ａ１と紙テープ２Ａ２とは、同じ一枚の紙テープ２Ａの一部であるが、紙テープ２Ａ１が紙テープ２Ａ２よりも１周前に巻かれた部分である。そして、紙テープ２Ａ１の側縁部の上に紙テープ２Ａ２の側縁部が重なるように巻かれている。同様に、紙テープ２Ｂ１が紙テープ２Ｂ２よりも１周前に巻かれたものである。そして、紙テープ２Ｂ１の側縁部と紙テープ２Ｂ２の側縁部とが重ならないように互いに突き当てて巻かれている。
最外周の層の紙テープ２Ａのさらに外側の表層には、アクリル樹脂５がコーティングされている。この場合、紙テープ２Ａにアクリル樹脂をプリコートしておいても、紙テープ２Ａの幅を揃えるためのスリット加工をすることから端面２Ａ２１がアクリル樹脂で覆えず、紙テープ２Ａの巻回後にアクリル樹脂５を厚くコートしないと端面２Ａ２１から糸条から染み出した液剤が浸透してくる。
【０００３】
【特許文献１】実開昭５４−２４５１０号公報
【特許文献２】実公平３−４８１３６号公報
【発明の開示】
【発明が解決しようとする課題】
【０００４】
従来の糸条などを巻き取る紙製ヤーンチューブは、紙製であるために糸条が油剤などの液剤を含んでいる場合に、その液剤により表面にシミができ、シミによる糸条の悪影響を予測できないためシミができたものをリユースすることができず、紙製ヤーンチューブの使用量を抑制できないという問題点がある。
そこで、実公平３−４８１３６号公報に記載されているように、外周面にフッ素系樹脂などのコーティング剤を塗布するが紙テープの側縁部、即ち紙テープ同士の突合せ部分から油剤などの液剤が染み込むという問題が発生し易い。そのため、コーティング剤の塗布量が必要以上に多くなってしまう。
この発明は上記の問題点を解消するためになされたものであり、紙テープの突合せ部分からの油剤の染み込みの防止を確実化するとともに、コーティング剤の塗布量を減らして製品の価格を抑え、さらに糸条の解除機能を向上させることを目的とする。
【課題を解決するための手段】
【０００５】
第１の課題解決手段による紙製ヤーンチューブは、紙テープを螺旋状に巻回積層して形成された紙管を基部として糸条を巻き取る紙製ヤーンチューブであって、糸条に含まれる液剤を通さない所定のコーティング剤が最外周の層を構成する紙テープに適用され、最外周よりも１層内側の層について、紙製ヤーンチューブの軸方向において互いに隣接する紙テープの側縁部間を所定幅離して螺旋状の隙間を形成し、最外周の層において、軸方向で互いに隣接する紙テープの側縁部の一方を内周側に折り曲げて互いに隣接する紙テープの側縁部を重ね合わせるとともに、重ね合わされた部分を螺旋状の隙間内に納めるように形成するものである。
第２の課題解決手段による紙製ヤーンチューブは、第１の課題解決手段の紙製ヤーンチューブにおいて、コーティング剤は、撥油性を有するものである。
第３の課題解決手段による紙製ヤーンチューブは、第１または第２の課題解決手段の紙製ヤーンチューブにおいて、コーティング剤が、撥水性を有するものである
第４の課題解決手段による紙製ヤーンチューブは、第１から第３の課題解決手段の紙製ヤーンチューブのいずれかにおいて、コーティング剤が、薬品をはじくものである。
第５の課題解決手段による巻回体は、所定のコーティング剤により付与される耐性に適合する液剤を含む糸条が、第１から第４の課題解決手段のいずれかの紙製ヤーンチューブに巻きつけられてなるものである。
【発明の効果】
【０００６】
第１の課題解決手段の紙製ヤーンチューブによれば、紙テープ同士の突合せ部分に紙テープの縁部端面が露出しないので、糸条に含まれる液剤の染み込み防止を確実化でき、またコーティング剤によって端面保護をしなくて良くなる分だけコーティング剤の塗布量を減らすことができ、紙製ヤーンチューブを安価に提供できるという効果がある。同時に、最外層において紙テープの端面が糸条に接することがなく、最外層の紙テープの側縁部が隙間に納められている分だけ平坦なため、糸条の解除性が向上するという効果がある
第２の課題解決手段の紙製ヤーンチューブによれば、油剤の浸透の防止効果がさらに高い紙製ヤーンチューブを提供できるという効果がある。
第３の課題解決手段の紙製ヤーンチューブによれば、水の浸透の防止効果がさらに高い紙製ヤーンチューブを提供できるという効果がある。
第４の課題解決手段の紙製ヤーンチューブによれば、薬剤の浸透の防止効果がさらに高い紙製ヤーンチューブを提供できるという効果がある。
第５の課題解決手段の巻回体によれば、糸条から紙製ヤーンチューブへの液剤の移動が抑えられているため、巻き取られた糸条の最内層部分の糸条の品質を劣化させずに糸条の搬送が可能になるという効果がある。
【発明を実施するための最良の形態】
【０００７】
以下、この発明の一実施形態による紙製ヤーンチューブについて図１及び図２を用いて説明する。図２の紙製ヤーンチューブの構成を示す斜視図は、従来の紙製ヤーンチューブの構成を説明するために用いたが、本発明の紙製ヤーンチューブも概略の構成においてはほぼ同じである。
本発明の紙製ヤーンチューブについて、図２の突合せ部分３を紙製ヤーンチューブの長手方向に沿って切断して拡大した状態を図１に示す。
本発明の紙製ヤーンチューブ１の突合せ部分３には、最外層から順に紙テープ２Ａ，２Ｂ，２Ｃが巻きつけられている。最外層を構成する紙テープ２Ａの上には、さらに、例えばフッ素樹脂が薄く約５〜１５ｇ／ｍ２程度コーティングされてなるコーティング層６がある。紙テープ２Ａ，２Ｂ，２Ｃとしては、例えば紙テープ２Ａに厚み０．０７〜０．１２ｍｍ程度のアクリル樹脂コーティング紙（アクリル樹脂のコーティング量５〜２５ｇ／ｍ２）、紙テープ２Ｂに厚み０．２〜０．４ｍｍ程度のライナー紙または紙管原紙、紙テープ２Ｃに紙テープ２Ｂと同じ程度かさらに厚みのある紙管原紙を用いることができる。
紙テープ２Ｃは、最外層を含めて最外層から３層目の層を構成している。紙テープ２Ｃ１と紙テープ２Ｃ２とは、同じ一枚の紙テープ２Ｃの一部であるが、紙テープ２Ｃ１が紙テープ２Ｃ２よりも１周前に巻かれた部分である。そして、紙テープ２Ｃ１の側縁部と紙テープ２Ｃ２の側縁部とが重ならないように互いに突き当てて巻かれている。
紙テープ２Ｂは、最外層を含めて最外層から２層目の層を構成している。紙テープ２Ｂ１と紙テープ２Ｂ２とは、同じ一枚の紙テープ２Ｂの一部であるが、紙テープ２Ｂ１が紙テープ２Ｂ２よりも１周前に巻かれた部分である。そして、紙テープ２Ｂ１の側縁部と紙テープ２Ｂ２の側縁部とは、所定幅７だけ離して巻かれ、即ち紙テープ２Ｂの幅よりも長いピッチで巻かれている。それにより、螺旋状に巻かれる紙テープ２Ｂの側縁部に沿って、所定幅７を有する隙間が螺旋状に形成される。
紙テープ２Ａは、最外層を構成している。同じ一枚の紙テープ２Ａの一部であるが、紙テープ２Ａ１が紙テープ２Ａ２よりも１周前に巻かれた部分である。そして、紙テープ２Ａ１の側縁部と紙テープ２Ａ２の側縁部とは、紙テープ２Ａ２の側縁部を内周側に折り曲げて重ねて巻かれている。紙テープ２Ａ１の側縁部と紙テープ２Ａ２の側縁部の重なった部分は、紙テープ２Ｂ１と紙テープ２Ｂ２の間の所定幅７に収まるように巻かれている。従って、紙テープ２Ａ２の側縁部の折り曲げ部分の厚みで段差ができるのを抑制できるため、紙製ヤーンチューブ１に巻かれる糸条を解除する際に、解除の妨げとなるのを防ぐことができる。従来と異なって表面に紙テープ２Ａの端面が外周面にないことにより糸条の解除性が改善されている。
【０００８】
紙テープ２Ａの外周面側には、例えば油剤の浸透を防止するためにアクリル樹脂がコーティングされている。紙テープ２Ａ２の側縁部の折り曲げることによって、紙テープ２Ａ１の側縁部と紙テープ２Ａ２の側縁部が外周面側同士を接着しているので、紙テープ２Ａ１，２Ａ２の側端部が内周面側に収納されて、紙テープ２Ａ１，２Ａ２の側端部から油剤などが染み込むということがなくなる。そのため、紙テープ２Ａへのアクリル樹脂のコーティングは、従来に比べて少なくすることができる。
【０００９】
上記実施の形態では、フッ素樹脂が撥油性、撥水性及びほとんどの薬剤をはじく性質を持っているので、紙製ヤーンチューブへの油剤などの染み込みをさらに抑制することができる。本実施の形態では、フッ素樹脂のコーティング層６を設けたが、例えばシリコン樹脂など他の樹脂や澱粉などの他の材料をコーティングしてもよい。
ただし、撥油性や撥水性を同時に付与することから、フッ素樹脂やシリコン樹脂が好ましい。
【００１０】
また、上記実施の形態では、紙テープ２Ｂ１と紙テープ２Ｂ２の間の所定幅７に、紙テープ２Ａ１の側縁部と紙テープ２Ａ２の側縁部の重なった部分が全て収まるように構成したが、重なり部分を構成する紙テープ２Ａ１または紙テープ２Ａ２の一部が所定幅７に収まり切らず、紙テープ２Ｂ１と紙テープ２Ｂ２の上で紙テープ２Ａが２重になっている部分があっても３重に重なるよりは薄くできるため、そのような構成であっても重なり部分が盛り上がることによる糸条の解除性の悪化を防止する効果はある。
【図面の簡単な説明】
【００１１】
【図１】本発明の紙製ヤーンチューブの構成を示す拡大断面図である。
【図２】紙製ヤーンチューブの構成を示す斜視図である。
【図３】従来の紙製ヤーンチューブの使用方法を説明するための拡大断面図である。
【符号の説明】
【００１２】
１  紙製ヤーンチューブ、２，２Ａ，２Ｂ，２Ｃ  紙テープ、３  突合せ部分、４  溝。
【図１】
2005225619.tif 000003
【図２】
2005225619.tif 000004
【図３】
2005225619.tif 000005